(57)【要約】【課題】音声ガイダンスの到来中にＤＴＭＦサービス選択信号を送信するとき、一度のダイヤル押下だけで、サービス提供端末２がＤＴＭＦサービス選択信号を、従来に比べてより確実に正しく認識するサービス利用端末及びその制御方法を提供する。【解決手段】サービス提供端末２での受信状態をサービス利用端末１内に作り出すために、音声ガイダンスの反射波がサービス提供端末２に戻った時の音声ガイダンス反射波（信号Ｌ１）を模擬的に生成するとともに、回線ロスを受けながらサービス提供端末に到達した時のＤＴＭＦサービス選択信号（信号Ｌ２）を模擬的に生成し、２つの模擬信号Ｌ１，Ｌ２をサービス利用端末１内で加算する。そこで、所定時間間隔ごとに、この擬似受信信号の中からＤＴＭＦサービス選択信号を見出すことができるか否かを判定し、見出すことができるまで、ＤＴＭＦサービス選択信号をサービス提供端末２に送信し続ける。【選択図】図１
2006094276.tif 000002
【特許請求の範囲】
【請求項１】
サービス提供端末からの音声ガイダンスを受信し、所望のサービスを選択するためのＤＴＭＦサービス選択信号を送信するサービス利用端末において、
前記ＤＴＭＦサービス選択信号を生成するＤＴＭＦサービス選択信号生成回路と、
前記音声ガイダンス信号と前記ＤＴＭＦサービス選択信号とを重畳した重畳信号を入力し、前記重畳信号の中からＤＴＭＦ信号を所定時間間隔毎に検出し、検出された前記ＤＴＭＦ信号が送信された前記ＤＴＭＦサービス選択信号と一致するか否かを判定するＤＴＭＦ信号検出回路とを備え、
検出された前記ＤＴＭＦ信号が送信された前記ＤＴＭＦサービス選択信号と一致するまで、前記ＤＴＭＦサービス選択信号を送信し続けることを特徴とするサービス利用端末。
【請求項２】
前記ＤＴＭＦサービス選択信号に対応するダイヤルボタンが押下されたとき当該ダイヤル番号を記憶するダイヤルメモリをさらに備え、
前記所定時間間隔経過時に、前記ダイヤル番号を読み出して、前記ＤＴＭＦサービス選択信号を送信し続けることを特徴とする請求項1に記載のサービス利用端末。
【請求項３】
前記音声ガイダンス信号を入力する２線―４線変換回路と、
前記２線―４線変換回路から出力される前記音声ガイダンス信号を第1減衰率だけ減衰させる第1減衰回路と、
前記ＤＴＭＦサービス選択信号を第２減衰率だけ減衰させる第２減衰回路と、
前記第１及び第２減衰回路の出力を加算する加算器とをさらに備え、
前記加算回路の出力を前記重畳信号として前記ＤＴＭＦ信号検出回路に入力することを特徴とする請求項1に記載のサービス利用端末。
【請求項４】
前記第１及び第２減衰率と、前記サービス利用端末と前記サービス提供端末間の回線との関係を記憶した減衰率メモリをさらに備えることを特徴とする請求項３に記載のサービス利用端末。
【請求項５】
２線―４線変換回路から出力される前記ＤＴＭＦサービス選択信号と、
直流ループ回路から出力される前記音声ガイダンス信号とを加算する加算器と、
前記加算器の出力を入力するハイインピーダンス回路と、
前記ハイインピーダンス回路の出力を所定増幅率だけ増幅する増幅回路とを備え、
前記増幅回路の出力を前記重畳信号として前記ＤＴＭＦ信号検出回路に入力することを特徴とする請求項1に記載のサービス利用端末。
【請求項６】
サービス提供端末からの音声ガイダンスを受信し、所望のサービスを選択するためのＤＴＭＦサービス選択信号を送信するサービス利用端末制御方法において、
前記ＤＴＭＦサービス選択信号と前記音声ガイダンス信号との重畳信号の中からＤＴＭＦ信号を所定時間間隔毎に検出し、検出された前記ＤＴＭＦ信号が送信された前記ＤＴＭＦサービス選択信号と一致するか否かを判定し、検出された前記ＤＴＭＦ信号が送信された前記ＤＴＭＦサービス選択信号と一致するまで、前記ＤＴＭＦサービス選択信号を送信し続けることを特徴とするサービス利用端末制御方法。
【請求項７】
音声ガイダンスに応じダイヤルボタンを押下する第1ステップと、
押下されたダイヤル番号をメモリに記憶する第２ステップと、
前記ダイヤル番号を読み出し、ＤＴＭＦサービス選択信号を生成する第３ステップと、
前記ＤＴＭＦサービス選択信号と音声ガイダンス信号とを重畳する第４ステップと、
所定時間間隔毎に当該重畳信号の中から前記ＤＴＭＦ信号を検出する第５ステップと、
当該検出されたＤＴＭＦ信号が前記生成されたＤＴＭＦサービス選択信号と一致するか否かを判定する第６ステップとを含み、
当該検出されたＤＴＭＦ信号が前記生成されたＤＴＭＦサービス選択信号と一致する場合は、前記メモリから前記ダイヤル番号を消去し、前記ＤＴＭＦサービス選択信号の前記サービス端末への送信を停止する一方、当該検出されたＤＴＭＦ信号が前記生成されたＤＴＭＦサービス選択信号と一致しない場合は、前記第１ステップから前記第６ステップを繰り返すことを特徴とするサービス利用端末制御方法。
【請求項８】
２線―４線変換回路から出力される前記音声ガイダンス信号を第1減衰量だけ減衰させた信号と、前記ＤＴＭＦサービス選択信号を第２減衰量だけ減衰させた信号とを重畳することを特徴とする請求項７に記載のサービス利用端末制御方法。
【請求項９】
前記第１減衰量は、前記音声ガイダンス信号が前記サービス利用端末によって反射される反射率であり、前記第２減衰量は、前記サービス利用端末と前記サービス提供端末との間の回線ロスであり、前記第５ステップでは当該重畳信号の中から前記ＤＴＭＦ信号を検出することを特徴とする請求項８に記載のサービス利用端末制御方法。
【請求項１０】
前記第４ステップにおいて、２線―４線変換回路から出力される前記ＤＴＭＦサービス選択信号と、直流ループ回路から出力された前記音声ガイダンス信号とを重畳することを特徴とする請求項６に記載のサービス利用端末制御方法。
【請求項１１】
当該重畳信号を所定増幅率で増幅するステップをさらに含み、前記第５ステップでは、当該増幅信号の中から前記ＤＴＭＦ信号を検出することを特徴とする請求項１０に記載のサービス利用端末制御方法。
【発明の詳細な説明】
【技術分野】
【０００１】
本発明は、サービス利用端末及びその制御方法に関し、特に、サービス提供端末が提供するサービス種目の電話音声ガイダンスを聴取している最中に、サービス利用端末側から、所望するサービス種目を選択するダイヤル番号（ＤＴＭＦサービス選択信号）を送出するためのサービス利用端末及びその制御方法に関する。
【背景技術】
【０００２】
従来、サービス提供者とサービス利用者とを電話網で接続し、サービス提供者側から音声ガイダンスを送信し、サービス利用者側はサービス音声ガイダンスを聞きながらダイヤル押下により所望のサービスを迅速に選択することができるが、これは、サービス利用者の押しボタン（PB）電話（プッシュフォン（登録商標））を利用しており、サービス選択信号（ＤＴＭＦ（dual tone multi frequency）信号は、音声ガイダンス送信端末により正確かつ確実に受信される必要がある。
【０００３】
図４に示すように、ＤＴＭＦ信号は、１２個のダイヤルボタン４０（１、２、３、......、＊、０、＃）の各々に対し、３つの高群音声周波数Ｆ１、Ｆ２、Ｆ３から１つと、４つの低群音声周波数ｆ１、ｆ２、ｆ３、ｆ４から１つを割り当てた音声周波数信号である。
【０００４】
しかし、２線−４線変換回路のインピーダンス不整合により音声ガイダンスの反射信号がサービス提供者の音声ガイダンス送信端末に向けて反射され、たまたま、ＤＴＭＦサービス選択信号と無関係な高群音声周波数Ｆ１、Ｆ２、Ｆ３又は低群音声周波数ｆ１、ｆ２、ｆ３、ｆ４が検出されれば、サービス提供端末は真正なＤＴＭＦサービス選択信号を受信することができなくなる。
【０００５】
そこで、サービス提供端末でのＤＴＭＦサービス選択信号の誤認識を防止するため、特許文献１では、音声ガイダンス入出力回路の出力信号と、２線−４線変換回路の出力信号に基づいて伝達関数を求め、反射信号を予測して、これをキャンセルする。
【０００６】
特許文献２では、音声ガイダンス信号からＤＴＭＦ信号に該当する周波数成分を除去した信号をサービス利用者に送信する。
【０００７】
特許文献３では、サービス提供端末において、音声ガイダンスとＤＴＭＦ信号とを比較することによりＤＴＭＦ信号を識別する。
【０００８】
特許文献4では、音声ガイダンス送出中に音声ガイダンス中に含まれる上記低群又は高群音声周波数成分を検出した瞬間、音声ガイダンス中の低群又は高群音声周波数成分をフィルタで低減する。
【０００９】
以上、特許文献１〜４には、サービス提供端末でのＤＴＭＦ信号（サービス選択信号）の誤認識防止方法が開示されている。
【００１０】
なお、ＤＴＭＦ信号をサービス選択信号として使用する以外に、回線接続開始のためのダイヤル発信を確実に行う方法も開示されている例えば、特許文献５では、電話回線に接続される親機に子機を無線接続するシステムにおいて、子機から伝送されてくる所定の信号フレームに基づいて、電話番号の各桁を一定時間間隔、一定周期でダイヤルする。
【００１１】
特許文献６では、コンピュータに押しボタン（ＰＢ）電話を接続した銀行サービスシステムなどにおいて、接続すべき相手方の電話番号を間違えることがないようにするため、コンピュータが押しボタン電話に設定した電話番号と、押しボタン電話が実際に送出した電話番号とが一致しているか否かを判別し、その結果をコンピュータに知らせ、発信中止などを行う。
【００１２】
【特許文献１】特開昭６３−２９９５２８号公報（図１、第３頁）
【特許文献２】特開平１−２３８２５８号公報（図１、第３頁）
【特許文献３】特開平２−１５８２５８号公報（図１、第３頁）
【特許文献４】特開平１１−３４６３７４号公報（図１、第４頁）
【特許文献５】特開平６−２５２９８９号公報（図１、第３頁）
【特許文献６】特開平６−３０４５１号公報（図１、第２頁）
【発明の開示】
【発明が解決しようとする課題】
【００１３】
しかし、特許文献１〜４に開示された発明では、ＤＴＭＦサービス選択信号の誤認識を完全に防止することはできず、仮に、誤認識を完全に防止しようとするならば、サービス利用者は、ダイヤルボタンを押下し続けるか、又は複数回押下しなければならず、不便である。
【００１４】
また、特許文献５、６は、サービス選択信号としてのＤＴＭＦ信号の送出に係るものではなく、回線接続のために相手方電話番号をＤＴＭＦ信号により発信するものに過ぎない。
【００１５】
そこで、本発明は、音声ガイダンスの到来中にＤＴＭＦサービス選択信号を送信するとき、一度のダイヤル押下だけで、サービス提供端末２がＤＴＭＦサービス選択信号を、従来に比べてより確実に正しく認識するサービス利用端末及びその制御方法を提供することを目的とする。
【課題を解決するための手段】
【００１６】
前述の課題を解決するため本発明のサービス利用端末及びその制御方法は次のような特徴的な構成を採用している。
【００１７】
（１）サービス提供端末からの音声ガイダンスを受信し、所望のサービスを選択するためのＤＴＭＦサービス選択信号を送信するサービス利用端末において、
前記ＤＴＭＦサービス選択信号を生成するＤＴＭＦサービス選択信号生成回路と、
前記音声ガイダンス信号と前記ＤＴＭＦサービス選択信号とを重畳した重畳信号を入力し、前記重畳信号の中からＤＴＭＦ信号を所定時間間隔毎に検出し、検出された前記ＤＴＭＦ信号が送信された前記ＤＴＭＦサービス選択信号と一致するか否かを判定するＤＴＭＦ信号検出回路とを備え、
検出された前記ＤＴＭＦ信号が送信された前記ＤＴＭＦサービス選択信号と一致するまで、前記ＤＴＭＦサービス選択信号を送信し続けるサービス利用端末。
【００１８】
（２）前記ＤＴＭＦサービス選択信号に対応するダイヤルボタンが押下されたとき当該ダイヤル番号を記憶するダイヤルメモリをさらに備え、
前記所定時間間隔経過時に、前記ダイヤル番号を読み出して、前記ＤＴＭＦサービス選択信号を送信し続ける上記（１）のサービス利用端末。
【００１９】
（３）前記音声ガイダンス信号を入力する２線―４線変換回路と、
前記２線―４線変換回路から出力される前記音声ガイダンス信号を第1減衰率だけ減衰させる第1減衰回路と、
前記ＤＴＭＦサービス選択信号を第２減衰率だけ減衰させる第２減衰回路と、
前記第１及び第２減衰回路の出力を加算する加算器とをさらに備え、
前記加算回路の出力を前記重畳信号として前記ＤＴＭＦ信号検出回路に入力する上記（１）のサービス利用端末。
【００２０】
（４）前記第１及び第２減衰率と、前記サービス利用端末と前記サービス提供端末間の回線との関係を記憶した減衰率メモリをさらに備える上記（３）のサービス利用端末。
【００２１】
（５）２線―４線変換回路から出力される前記ＤＴＭＦサービス選択信号と、
直流ループ回路から出力される前記音声ガイダンス信号とを加算する加算器と、
前記加算器の出力を入力するハイインピーダンス回路と、
前記ハイインピーダンス回路の出力を所定増幅率だけ増幅する増幅回路とを備え、
前記増幅回路の出力を前記重畳信号として前記ＤＴＭＦ信号検出回路に入力する上記（１）のサービス利用端末。
【００２２】
（６）サービス提供端末からの音声ガイダンスを受信し、所望のサービスを選択するためのＤＴＭＦサービス選択信号を送信するサービス利用端末制御方法において、
前記ＤＴＭＦサービス選択信号と前記音声ガイダンス信号との重畳信号の中からＤＴＭＦ信号を所定時間間隔毎に検出し、検出された前記ＤＴＭＦ信号が送信された前記ＤＴＭＦサービス選択信号と一致するか否かを判定し、検出された前記ＤＴＭＦ信号が送信された前記ＤＴＭＦサービス選択信号と一致するまで、前記ＤＴＭＦサービス選択信号を送信し続けるサービス利用端末制御方法。
【００２３】
（７）音声ガイダンスに応じダイヤルボタンを押下する第1ステップと、
押下されたダイヤル番号をメモリに記憶する第２ステップと、
前記ダイヤル番号を読み出し、ＤＴＭＦサービス選択信号を生成する第３ステップと、
前記ＤＴＭＦサービス選択信号と音声ガイダンス信号とを重畳する第４ステップと、
所定時間間隔毎に当該重畳信号の中から前記ＤＴＭＦ信号を検出する第５ステップと、
当該検出されたＤＴＭＦ信号が前記生成されたＤＴＭＦサービス選択信号と一致するか否かを判定する第６ステップとを含み、
当該検出されたＤＴＭＦ信号が前記生成されたＤＴＭＦサービス選択信号と一致する場合は、前記メモリから前記ダイヤル番号を消去し、前記ＤＴＭＦサービス選択信号の前記サービス端末への送信を停止する一方、当該検出されたＤＴＭＦ信号が前記生成されたＤＴＭＦサービス選択信号と一致しない場合は、前記第１ステップから前記第６ステップを繰り返すサービス利用端末制御方法。
【００２４】
（８）２線―４線変換回路から出力される前記音声ガイダンス信号を第1減衰量だけ減衰させた信号と、前記ＤＴＭＦサービス選択信号を第２減衰量だけ減衰させた信号とを重畳する上記（７）のサービス利用端末制御方法。
【００２５】
（９）前記第１減衰量は、前記音声ガイダンス信号が前記サービス利用端末によって反射される反射率であり、前記第２減衰量は、前記サービス利用端末と前記サービス提供端末との間の回線ロスであり、前記第５ステップでは当該重畳信号の中から前記ＤＴＭＦ信号を検出する上記（８）のサービス利用端末制御方法。
【００２６】
（１０）前記第４ステップにおいて、２線―４線変換回路から出力される前記ＤＴＭＦサービス選択信号と、直流ループ回路から出力された前記音声ガイダンス信号とを重畳する上記（６）のサービス利用端末制御方法。
【００２７】
（１１）当該重畳信号を所定増幅率で増幅するステップをさらに含み、前記第５ステップでは、当該増幅信号の中から前記ＤＴＭＦ信号を検出する上記（１０）のサービス利用端末制御方法。
【発明の効果】
【００２８】
本発明によれば、音声ガイダンスの到来中にＤＴＭＦサービス選択信号を送信するとき、一度のダイヤル押下だけで、サービス提供端末２がＤＴＭＦサービス選択信号を、従来に比べてより確実に正しく認識することができる。
具体的には、本発明による第１の効果は、自電話装置において送出したＤＴＭＦサービス選択信号を自電話装置で検出するので、相手先から到来する音声ガイダンスとＤＴＭＦ信号の送出が重なった場合でも、相手先がＤＴＭＦサービス選択信号を受信できるだけの時間送出を延長することができることである。
第２の効果は、ダイヤル入力を一度ダイヤルメモリに保持してＤＴＭＦサービス選択信号の送出時間を自動制御するので、ダイヤルボタンを押下し続ける必要がないことである。
第３の効果は、押下したダイヤル番号を自電話機のダイヤルメモリに保持したうえでＤＴＭＦサービス選択信号を送出するので、相手先が誤検出したと判断した場合、同一ダイヤルを再送出できることである。
【実施例１】
【００２９】
図１は、サービス利用端末の一実施例のブロック図である。
【００３０】
サービス利用端末１は、サービス提供端末２が送信する音声ガイダンスを受信する。その音声ガイダンスは、直流ループ回路１１、２線―４線変換回路１２を介して、受話口１３（スピーカ）でサービス利用者によって聴取される。
【００３１】
サービス利用者は、音声ガイダンス聴取中に所望のサービス種目がアナウンスされれば、その時点で、当該ダイヤルボタン１９を押下しサービス提供端末２に送信する。したがって、このとき、サービス提供端末２へ向かう上り回線には音声ガイダンスの反射信号とＤＴＭＦサービス選択信号が重畳されて流れている。
【００３２】
ところで、サービス利用端末１は、ＤＴＭＦサービス選択信号がサービス提供端末２によって真正に受信されたものと判定するまで、所定時間間隔毎に繰り返し送信し続ける。そのため、押下されたダイヤル番号を一旦ダイヤルメモリ２３に記憶する。記憶されたダイヤル番号は制御回路によって読み出され、ＤＴＭＦサービス選択信号生成回路１７によってＤＴＭＦサービス選択信号が生成され、タイマ回路２２に設定された所定時間間隔だけサービス提供端末に送信される。
【００３３】
ここで、サービス利用端末１の各構成要素について説明すると、直流ループ回路１１は、電話回線の直流ループ閉結／開放を行い、制御回路１８がフックスイッチ２０のオフフック又はオンフックを検出することにより制御される。
【００３４】
直流ループ回路１１から出力された電話回線からの音声ガイダンス信号は、２線−４線変換回路１２を通じて、第1減衰回路（受話信号レベル減衰回路）１４に接続されるとともに受話口１３からは音声として出力される。
【００３５】
ＤＴＭＦサービス選択信号は、２線−４線変換回路１２を介してサービス提供端末に送出される。
【００３６】
ところで、サービス提供端末２が送信する音声ガイダンス信号レベルをＬ０とすると、これがサービス利用端末1により反射され再びサービス提供端末２によって受信されるであろう反射信号レベルＬＲはＲ・Ｌ２・Ｌ０である。ここに、Ｒは反射率、Ｌは回線ロスである。一方、サービス利用端末１が受信する音声ガイダンスレベルＬＳは、（１−Ｒ）・Ｌ・Ｌ０である。したがって、ＬＳをＬＲに等しくするためには、ＬＳにＬ・Ｒ/（１−Ｒ）を乗算する必要がある。
【００３７】
そこで、第1減衰回路での減衰率（第1減衰率）をＬ・Ｒ/（１−Ｒ）とすれば、第1減衰回路の出力は、サービス提供端末２によって受信されるであろう反射信号レベルＬＲに等しくなる。第1減衰率Ｌ・Ｒ/（１−Ｒ）と回線経路との関係は、減衰量メモリ２１に格納しておくとよい。なお、減衰率メモリ２１を採用することなく、第1減衰率には、平均的な値を設定してもよい。
【００３８】
また、ＤＴＭＦサービス選択信号は第２減衰回路１５に入力される。
ところで、サービス利用端末１によって送信されるＤＴＭＦサービス選択信号レベルをＬＤとすると、サービス提供端末1により受信されるレベルは、Ｌ・ＬＤとなる。そこで、第２減衰回路での減衰率をＬとすれば、第２減衰回路の出力は、サービス提供端末２によって受信されるであろう反射信号レベルＬＲに等しくなる。第２減衰率Ｌと回線経路との関係は、減衰率メモリ２１に格納しておくとよい。なお、減衰率メモリ２１を採用することなく、第２減衰率には、平均的な値を設定してもよい。
【００３９】
次に、ＤＴＭＦ信号検出回路１６について説明する。
【００４０】
ＤＴＭＦ検出回路１６には、重畳信号（Ｌ１＋Ｌ２）（加算器３０の出力）が入力される。Ｌ１、Ｌ２ともに、音声帯域信号であり、ＤＴＭＦ信号検出回路１６は、この中にＤＴＭＦ信号が存在すること（検出）、及びそのＤＴＭＦ信号がＤＴＭＦサービス選択信号と一致すること（判定）を確認するまで、重畳信号（Ｌ１＋Ｌ２）の入力を受け続ける。その理由は、Ｌ1とＬ２の重畳状態が時間とともに変化し、ＤＴＭＦサービス選択信号の周波数が、音声ガイダンスの周波数と重ならなくなることが期待できるからである。
【００４１】
ＤＴＭＦ信号検出回路１６は、入力信号（Ｌ１+Ｌ２）の中にＤＴＭＦサービス選択信号の存在を確認したときは、制御回路１８にそのことを通知する。
当該通知を受けた制御回路１８は、タイマ回路２２を停止することにより、ＤＴＭＦサービス選択信号の送信を停止する。
【００４２】
図２は、サービス利用端末制御方法のフローチャートである。
【００４３】
まずステップＳ１において、フックスイッチ２０をオフフックすると、そのオフフックを制御回路１８が検出し、直流ループ回路１１を制御して、直流ループを閉結する。
【００４４】
次にステップＳ２において、ダイヤルボタン１９にてサービス提供端末２のダイヤ番号を押下し、ダイヤル発信する。サービス提供端末２が応答すると、通話状態が確立される。
【００４５】
次にステップＳ３において、サービス利用端末1は、サービス提供端末２からの音声ガイダンスを受信する。
【００４６】
次にステップＳ４において、２線−４線変換回路１２を通じ、音声ガイダンスが、受話口１３により出力されるとともに、第１減衰回路１４（受話信号レベル減衰回路）に入力される。第１減衰回路１４は、減衰率メモリ２１に格納された第１減衰量を制御回路１８を介して読み出し、受信音声ガイダンス信号レベルを減衰させて加算器３０に入力する。
【００４７】
次にステップＳ５において、音声ガイダンスに応答して、サービス利用者は、所望のサービスを選択すべく、必要なダイヤルボタンを押下する。
【００４８】
次にステップＳ６において、制御回路１８は、ダイヤルボタン押下を検出すると、当該ダイヤル番号（サービス種目を表す番号）を、ダイヤルメモリ２３に保存する。
【００４９】
次にステップＳ７において、制御回路１８は、ダイヤルメモリ２３よりダイヤル番号を読み出し、ＤＴＭＦサービス選択信号生成回路１７からＤＴＭＦサービス選択信号を送出する。ＤＴＭＦサービス選択信号の送出は、２線−４線変換回路１２に通じて電話回線へ送出し、かつ第２減衰回路１５（ＤＴＭＦサービス選択信号レベル減衰回路）に入力される。第２減衰回路１５は、制御回路１８を介して、減衰率メモリ２１から第２減衰率を読み出し、信号レベルを減衰させ、加算器３０に入力する。
【００５０】
次にステップＳ８において、ＤＴＭＦサービス選択信号の２線―４銭回路への送出と同時に、ＤＴＭＦ信号検出回路１６はＤＴＭＦ信号の検出を開始する。
【００５１】
次にステップＳ９において、制御回路１８は、ＤＴＭＦ信号検出回路１６からＤＴＭＦ信号の受信通知を検出したらタイマ回路２２をスタートさせ、タイマー時間ΔτだけＤＴＭＦ信号が受信されたか否かを監視する。タイマー時間Δτは、ダイヤルメモリ２３に格納されたダイヤル番号の桁数に応じ、制御回路１８が決定する。例えば、高群又は低群周波数のいずれかを認識するために必要な時間をｔ、ダイヤル番号の桁数を２とし、サービス利用者によるダイヤル押下時間間隔を考慮すると、Δτは少なくとも４ｔに設定される。
【００５２】
なお、タイマー時間Δτ内にＤＴＭＦ信号が検出されなかった場合は、ステップＳ９を再度繰り返す。
【００５３】
次に、ステップＳ１０において、ＤＴＭＦサービス選択信号の送出を停止する。
【００５４】
次にステップＳ１１において、ＤＴＭＦ信号検出回路１６は、検出されたＤＴＭＦ信号と送出したＤＴＭＦサービス選択信号を比較する。
【００５５】
ステップＳ１１において、両者が一致していたらサービス提供端末２が、真正なＤＴＭＦ信号を検出できたものとみなす。
【００５６】
一方、ステップＳ１１において、両者が一致していなかった場合は、サービス提供端末２が誤ダイヤルを検出した虞れがあるため、ステップＳ７に戻り、再度、ダイヤルメモリ２３に保存されているダイヤル番号を読み出しＤＴＭＦサービス選択信号を送出する。
【００５７】
このように、ステップＳ７からステップＳ１１までのループにより、検出ＤＴＭＦ信号と送信ＤＴＭＦサービス選択信号が一致するまで、ＤＴＭＦサービス選択信号の送出時間が延長される。
【００５８】
次にステップＳ１２において、次ダイヤルの準備のため、ダイヤルメモリから送出したダイヤル番号を消去する。
【００５９】
次にステップＳ１３において、ダイヤル入力を終了するか否かをサービス利用者が判断し、繰り返しダイヤル入力が必要な場合は、ステップＳ５に戻る。
【００６０】
一方、ステップＳ１３において、ダイヤル入力を終了することとしたときは、ステップＳ１４へ進み、フックスイッチ１３をオンフックし回線を開放し通話を終了する。
【００６１】
以上、図２を参照して、サービス利用端末制御方法について説明したが、ステップＳ１０の実行は、ステップＳ１１とステップＳ１２の間において、又は、ステップＳ１２とステップＳ１３の間において行ってもよい。
【００６２】
以上説明したサービス利用端末制御方法ではステップＳ１１においてＤＴＭＦ信号検出回路１６が、検出されたＤＴＭＦ信号と送出したＤＴＭＦサービス選択信号を比較したが、これに限らず、制御回路１８が、検出されたＤＴＭＦ信号と送出したＤＴＭＦサービス選択信号を比較してもよい。
【００６３】
図３は、サービス利用端末の他の実施例のブロック図である。
【００６４】
図1の実施例と異なる点のみ説明すると、直流ループ回路１１の出力（音声ガイダンス信号）と２線―４線変換回路の出力（ＤＴＭＦサービス選択信号）とが加算回路に入力され、加算結果はハイインピーダンス回路３１により、交流インピーダンス不整合の影響を受けない程度にハイインピーダンスで加算出力を受信し、増幅回路３２により増幅される。増幅回路３２の出力は、ＤＴＭＦ信号検出回路１６に入力される。なお、増幅率は適宜に設定する。
【００６５】
図３の実施例では、音声ガイダンス信号レベルとＤＴＭＦサービス選択信号レベルの差を問わず、これらの信号に含まれる周波数成分のみからＤＴＭＦ信号を検出するため、図1の実施例より検出精度は劣るが、回路構成を簡素化できる利点がある。
【図面の簡単な説明】
【００６６】
【図１】サービス利用端末の一実施例のブロック図である。
【図２】サービス利用端末制御方法のフローチャートである。
【図３】サービス利用端末の他の実施例のブロック図である。
【図４】押しボタン（ＰＢ）電話のダイヤル番号とＤＴＭＦ信号の関係を示す図である。
【符号の説明】
【００６７】
１  サービス利用端末
２  サービス提供端末  
１１  直流ループ回路
１２  ２線―４線変換回路
１３  受話口
１４  第１減衰回路
１５  第２減衰回路
１６  ＤＴＭＦ信号検出回路
１７  ＤＴＭＦサービス選択信号生成回路
１８  制御回路
１９  ダイヤルボタン
２０  フックスイッチ
２１  減衰率メモリ
２２  タイマ回路
２３  ダイヤルメモリ
３０  加算回路
３１  ハイインピーダンス回路
３２  増幅回路
【図１】
2006094276.tif 000003
【図２】
2006094276.tif 000004
【図３】
2006094276.tif 000005
【図４】
2006094276.tif 000006